(57)【要約】【課題】良好な注液性を有する円筒型電池と、該電池を用いて構築される組電池を提供すること。【解決手段】本発明によって提供される円筒型電池１００は、正極および負極を備える電極体７０と、該電極体７０を電解液とともに収容する円筒型の電池ケース２０とを備えており、電池ケース２０を構成する円筒部２２の内面２６であって、該ケース２０内に収容された電極体７０の側面７２に対向する面２７の少なくとも一部には、電極体側面７２と接触しない非接触凹部であって該対向面２７に沿って形成された螺旋状の凹部２８が設けられている。【選択図】図２
2009146692.tif 000002
【特許請求の範囲】
【請求項１】
正極および負極を備える電極体と、
前記電極体を電解液とともに収容する円筒型の電池ケースと
を備え、
前記電池ケースを構成する円筒部の内面であって、該ケース内に収容された前記電極体の側面に対向する面の少なくとも一部には、前記電極体側面と接触しない非接触凹部であって該対向面に沿って形成された螺旋状の凹部が設けられている、円筒型電池。
【請求項２】
前記円筒部の外面には、前記螺旋状凹部に対応する螺旋状の凸部が設けられている、請求項１に記載の円筒型電池。
【請求項３】
前記円筒部の内面の前記電極体側面と接触し得る位置に平坦部を有している、請求項１または２に記載の円筒型電池。
【請求項４】
前記電池ケースにはガス放出機構が設けられており、
前記螺旋状凹部は、前記電池ケース内にて発生したガスを前記ガス放出機構まで誘導し得るように構成されている、請求項１〜３の何れか一つに記載の円筒型電池。
【請求項５】
前記螺旋状凹部および前記螺旋状凸部を包含する前記電池ケースの円筒部の少なくとも一部は、螺旋状に連続し且つ円筒部の長手方向に波板状凹凸が形成される屈曲部を構成している、請求項２に記載の円筒型電池。
【請求項６】
請求項５に記載の円筒型電池を複数配列してなる組電池であって、
前記複数の円筒型電池は、前記屈曲部を伸縮させることによって長手方向の寸法が揃った状態で配列されている、組電池。
【請求項７】
前記複数の円筒型電池を互いに平行な姿勢で保持する保持部材を備え、
前記保持部材は、前記電池を保持する際に前記ケース外面の前記螺旋状凸部に螺合する螺旋状の溝部が形成された保持部を有している、請求項６に記載の組電池。
【請求項８】
請求項１〜５のいずれかに記載の円筒型電池あるいは請求項６または７に記載の組電池を備える車両。
【発明の詳細な説明】
【技術分野】
【０００１】
本発明は、円筒型電池および該電池を備える組電池に関する。
【背景技術】
【０００２】
種々の電池の中には、渦巻き状構造を有する電極体（捲回電極体）を備えた電池がある。電極体を渦巻き状構造とすることにより正負極の反応面積を大きくすることができ、これによってエネルギー密度を増大して高出力が可能となる。かかる捲回電極体を備えた電池は、高出力が得られる電源として車両搭載用電源、或いはパソコンおよび携シート端末の電源として重要性が高まっている。
【０００３】
この種の捲回電極体は、一般にシート状の正極とシート状の負極とをセパレータシートを介して捲回することによって形成されており、このように形成された捲回電極体は、円筒型の電池容器に収容され、該電池容器の開口部に蓋体を取り付けることによって封口されている。そして、蓋体に設けられた注液口から電解液を注入することによって円筒型電池が構築される。この種の円筒型電池としては例えば特許文献１〜３が挙げられる。
【特許文献１】実開昭６３−１６２４５９号公報
【特許文献２】特開２００１−２６６９２６号公報
【特許文献３】特開２０００−３３１６７１号公報
【発明の開示】
【発明が解決しようとする課題】
【０００４】
この種の円筒型電池においては、電池容器の内部空間において捲回電極体の占める割合が大きくなるほど、それだけ余分に電極活物質が電池容器の中に詰め込まれ得るため、高容量化ならびに高効率放電の実現が可能となる。すなわち、電池容量を効率的に大きくするためには電池容器内の不要な空間（捲回電極体によって占有されていない空間）を小さくすることが好ましい。しかしながら、電池容器内の不要な空間を小さくすると、電池容器と捲回電極体との隙間が非常に小さくなるため（典型的には電池容器と捲回電極体とが密着した状態となるため）、電解液の注液性が損なわれ得る。例えば、蓋体の注液口から注入された電解液が捲回電極体全体に浸透するまでに長時間を費やすこととなり、電池の生産性が悪くなる虞がある。
【０００５】
本発明はかかる点に鑑みてなされたものであり、その主な目的は、良好な注液性を有する円筒型電池を提供することである。
【課題を解決するための手段】
【０００６】
本発明によって提供される円筒型電池は、正極および負極を備える電極体と、上記電極体を電解液とともに収容する円筒型の電池ケースとを備える。上記電池ケースを構成する円筒部の内面であって、該ケース内に収容された上記電極体の側面に対向する面の少なくとも一部には、上記電極体側面と接触しない非接触凹部であって該対向面に沿って形成された螺旋状の凹部が設けられている。
【０００７】
本発明の円筒型電池の構成によれば、電池ケース内に注入された電解液を螺旋状凹部の間隙（凹部内）を介して電極体の隅々に迅速に浸透させることができ、電解液の注液性を良好にすることができる。また、螺旋状凹部の間隙を電解液流路として利用することにより、注液性を損なうことなく、電池ケース内の捲回電極体が占める割合を大きくすることができる（例えば電池ケースと電極体とが密着するように配置することができる）。これにより、電池ケースの中に多くの電極活物質を詰め込むことができるため、高容量化・高効率放電が可能となる。
【０００８】
ここで開示される円筒型電池のある好適な一態様において、上記円筒部の外面には、上記螺旋状凹部に対応する螺旋状の凸部が設けられている。これにより、電池ケース外面の表面積を大きくすることができ、円筒型電池の冷却性能（放熱性）を向上させることができる。
【０００９】
ここで開示される円筒型電池のある好適な一態様において、上記円筒部の内面の上記電極体側面と接触し得る位置に平坦部を有している。かかる構成によれば、電池ケース内の電極体を平坦部（凹凸がないフラットな曲面）で保持することができるので、例えば螺旋状凹部と電極体との干渉を回避することができる。
【００１０】
ここで開示される円筒型電池のある好適な一態様において、上記電池ケースにはガス放出機構（例えば安全弁）が設けられている。そして、上記螺旋状凹部は、上記電池ケース内にて発生したガスを上記ガス放出機構まで誘導し得るように構成されている。かかる構成によれば、螺旋状凹部の間隙を介して電池異常時に発生したガスをガス放出機構までスムーズに導くことができる。従って本発明によると、良好なガス抜き性を有する円筒型電池を提供することができる。
【００１１】
ここで開示される円筒型電池のある好適な一態様において、上記螺旋状凹部および螺旋状凸部を包含する電池ケース円筒部の少なくとも一部は、螺旋状に連続し且つ円筒部の長手方向に波板状凹凸が形成される屈曲部を構成している。このように円筒部に波板状凹凸（屈曲部）を設けることによって該円筒部に伸縮性を持たせることができる。したがって、外部からの圧力に対して電池ケースを長手方向に伸縮・変形させることができる。これにより、例えば屈曲部を適当に伸縮させることによって電池ケースの長手方向の寸法バラツキ（典型的には電池ケースを製造する際の成形バラツキ）を是正（吸収）することができる。
【００１２】
また、本発明によれば、ここで開示される円筒型電池を複数配列して成る組電池を提供することができる。
【００１３】
好ましい一態様の組電池として、上記螺旋状の屈曲部を有する円筒型電池を複数配列してなる組電池を提供する。かかる組電池においては、上記複数の円筒型電池はそれぞれ、上記屈曲部を伸縮させることによって長手方向の寸法が揃った状態で配列されている。各円筒型電池の長さ寸法を揃えた状態で配列することにより、各電池の寸法バラツキに起因する不具合（例えば電池と保持部材との間に隙間が生じて電池をしっかりと固定できない等）を解消することができ、振動や衝撃などに対して安定な組電池を構築することができる。
【００１４】
ここで開示される組電池のある好適な一態様において、上記複数の円筒型電池を互いに平行な姿勢で保持する保持部材を備えている。そして、上記保持部材は、上記電池を保持する際に、上記ケース外面の上記螺旋状凸部に螺合する螺旋状の溝部が形成された保持部（典型的には挿入孔）を有している。かかる構成によれば、螺旋状凸部と螺旋状溝部との螺合によって円筒型電池を保持部材にしっかりと保持させる（好ましくは固定する）ことができる。加えて、円筒型電池を保持部に回転させながら配置する（典型的には回転させながら挿入孔に挿入する）だけでよく、円筒型電池を保持部材に容易に保持（固定）することができ、組み付け性が向上する。さらに、別途固定部材を介在させる必要がないため、部品点数および電池コストを低減することができる。
【発明を実施するための最良の形態】
【００１５】
以下、図面を参照しながら、本発明による実施の形態を説明する。以下の図面においては、同じ作用を奏する部材・部位には同じ符号を付して説明している。また、各図における寸法関係（長さ、幅、厚さ等）は実際の寸法関係を反映するものではない。なお、以下、円筒型のリチウムイオン二次電池１００を例にして本発明の円筒型電池の構造について詳細に説明するが、本発明をかかる実施形態に記載されたものに限定することを意図したものではない。
【００１６】
図１を参照しながら、本実施形態のリチウムイオン二次電池１００（以下、単に「電池」とも称する）の構成について説明する。図１は電池１００の外観を模式的に示す外観斜視図である。一例として図１に示すように、ここで開示される電池１００は、正極および負極を備える電極体７０（図２）と、該電極体７０および適当な電解液を収容する電池ケース２０とを備える。
【００１７】
電極体７０を収容する電池ケース２０は、ケース本体である円筒部２２と蓋体２４とから構成されている。円筒部２２は、電極体を収容し得る形状を有しており、この実施形態では有底の円筒形状である。円筒部２２は上部に開口部が形成されており、かかる開口部を介して電極体７０を収容し得るように形成されている。蓋体２４は、円筒部２２の上端開口部を塞ぐ円盤状の部材である。電池ケース２０（円筒部２２および蓋体２４）の材質は、軽量で熱伝導性が良い金属材料が好ましく、このような金属材料として、例えば、アルミニウム、ステンレス鋼、ニッケルめっき鋼などが挙げられる（この実施形態ではアルミニウム製）。
【００１８】
電池ケース２０の蓋体２４には注液口４０が設けられている。注液口４０は、円筒部２２に電解液を注入し得るように形成され、通常時には注液栓４２によって封口されている。また、蓋体２４には、ケース２０内で発生したガスを外部へ放出するためのガス放出機構４６が従来の電池ケースと同様に設けられ得る。この実施形態では、ガス放出機構４６は安全弁である。すなわち、安全弁４６は、電池ケース２０内の圧力が異常に上昇すると安全のために弁体（図示せず）が変形し、該弁体と蓋体２４との間に生じた隙間から内部のガス等が放出されるように構成されている。
【００１９】
なお、蓋体２４には電極端子（この実施形態では負極端子６０）が設けられている。この実施形態では、負極端子６０はガスケット６２を介して蓋体２４の上面に突設され、該円筒部２２内に収容された捲回電極体７０の負極に電気的に接続されている。負極端子６０を構成する材料は従来の電池で使用されるものと同じであればよく、例えば銅である。また、捲回電極体７０の正極は円筒部２２の底面２２ａに接続され、該円筒部２２が正極端子を構成している。
【００２０】
次に、図２も加えて電池ケース２０内部の構成について説明する。図２は電池１００の断面構成を模式的に示す断面図である。図２に示すように、電池ケース２０には電極体７０が収容されている。この実施形態では、電極体７０は、典型的な円筒型電池が備える電極体と同様に、所定の電池構成材料（正負極それぞれの活物質、正負極それぞれの集電体、セパレータ等）から構成されている。ここでは電極体７０として後述する渦巻き構造を有する捲回電極体７０が用いられている。図示されるように、この電極体７０の側面は、電池ケース２０を構成する円筒部２２の内面２６と対向し、接触可能に収容されている。
【００２１】
円筒部２２の内面２６には、該ケース２０内に収容された電極体７０の側面（即ち捲回体の外面）７２と対向する（本実施形態では接触し得る）対向面２７が構成されている。すなわち、この実施形態では、対向面２７と電極体の側面７２との間は殆ど隙間がない状態となっている。
【００２２】
また、対向面２７の少なくとも一部（この実施形態では対向面２７のほぼ全域）には、電極体側面７２と接触しない非接触凹部２８が設けられている。かかる非接触凹部２８は、対向面２７に長手方向に螺旋状に形成された凹部２８であり、例えば雌ネジ構造を有している。この実施形態では、螺旋状の凹部２８は雌ネジのネジ溝２８に相当し、隣り合うネジ溝２８の軸方向（円筒部２２の長手方向）のピッチが一定となるように連続して設けられている。凹部（ネジ溝）２８と電極体側面７２との間には間隙２５が形成され、該凹部２８の間隙２５は、電極体側面７２に沿って長手方向に螺旋状に旋回しつつ該電極体７０の上端７４から下端７６までを連通するように構成されている。
【００２３】
かかる構成の円筒型電池１００において、蓋体２４の注液口４０から電解液を注入すると、該注入された電解液は、螺旋状凹部（ここではネジ溝）２８の間隙２５を通って電極体側面７２に沿って螺旋状に旋回しつつケース２０の内部の隅々まで、具体的には電極体７０の上端７４から下端７６までスムーズに流動する。そのため、電解液をケース２０内部の全体、即ち電極体７０全体に短時間で偏りなく供給することができる。すなわち、本実施形態の構成によれば、電池ケース２０内に注入された電解液を螺旋状凹部２８の間隙２５を介して電極体７０に迅速に浸透させることができ、電解液の注液性を良好にすることができる。また、螺旋状凹部２８の間隙２５を電解液流路として利用することにより、注液性を損なうことなく、電池ケース２０内の捲回電極体７０が占める割合を大きくすることができる（例えば電池ケース２０と電極体７０とが密着するように配置することができる）。これにより、電池ケース２０の中により多くの電極活物質を詰め込むことができるため、高容量化ならびに高効率放電の実現が可能となる。
【００２４】
なお、螺旋状凹部２８をガス抜け用流路として利用してもよい。この場合、螺旋状の凹部２８は、電池ケース２０内にて発生したガスをガス放出機構（ここでは安全弁）４６まで誘導し得るように構成されている。この実施形態では、電極体の上端７４と蓋体２４との隙間２３を介して螺旋状凹部２８の間隙２５が安全弁４６まで連結されるように構成されている。かかる構成によれば、電池異常時に発生したガスを、螺旋状凹部２８の間隙２５を介して安全弁４６までスムーズに導くことができ、良好なガス抜き性を有する円筒型電池１００を提供することができる。
【００２５】
なお、螺旋状凹部（ここではネジ溝）２８の各寸法は、電解液やガスの流通性を確保し得る寸法であればよく特に制限されないが、一例を挙げると、凹部（ネジ溝）２８のピッチ（隣り合う凹部２８の軸方向の間隔）は２ｍｍ〜１０ｍｍ程度、凹部２８の深さは０．５ｍｍ〜５ｍｍ程度にすることができる。これらは円筒型電池の構成条件に合わせて適宜好適なものに変更可能である。また、螺旋状凹部２８は対向面２７全体に設けてもよい。螺旋状凹部２８を対向面２７全体に形成することにより、電池ケース２０内に注入された電解液を電極体７０全体に（典型的には捲回電極体の軸方向（長手方向）における一端から他端まで）短い時間で浸透させることができる。
【００２６】
さらに、図２を参照しながら本実施形態に係る円筒型電池１００の他の特徴部分について説明する。図２に示すように、円筒部２２の外面３６には、螺旋状凹部（ネジ溝）２８に対応して形成された螺旋状の凸部３８が設けられている。螺旋状凸部３８は、例えば円筒部２２の外面３６に設けられた雄ネジ構造を有し、この実施形態では、雄ネジのネジ山３８に相当する。このように、円筒部外面３６に螺旋状凸部３８を設けることにより、電池ケース２０の表面積を大きくすることができ、これによって円筒型電池１００の冷却性能（放熱性）を向上させることができる。
【００２７】
また、本実施形態では図２に示すように、かかる螺旋状の凹部２８および凸部３８（即ち雌ネジと雄ネジとが表裏一体となったネジ構造部）を包含する電池ケース２０の円筒部２２の少なくとも一部は、螺旋状に連続し且つ円筒部２２の長手方向に波板状凹凸が形成されるように円筒部２２が加工されてなる屈曲部３０を構成している。このように円筒部２２に折り目を設けることにより該円筒部２２に伸縮性を持たせることができる。
【００２８】
したがって、外部からの圧力に対して電池ケース２０を長手方向に伸縮自在に変形させることができる。これにより、例えば屈曲部３０を適当に伸縮させることによって電池ケース２０の長手方向の寸法バラツキ（典型的には電池ケース２０を製造する際の成形バラツキ）を是正（吸収）することができる。なお、伸縮自在な屈曲部３０は、例えば円筒部２２に適当な塑性加工（例えばプレス加工）を施すことにより容易に作製することができる。
【００２９】
このように寸法バラツキを是正（吸収）可能な円筒型電池１００を複数配列して、本実施形態に係る組電池２００を構築することができる。図３は本実施形態に係る組電池２００の外観を模式的に示す外観斜視図である。図３に示すように、組電池２００は、複数の円筒型電池１００が電気的に直列接続されて構成されている。複数の円筒型電池１００は、互いに平行な姿勢で並列に配列されている。各円筒型電池１００は、それぞれの正極端子（円筒部２２の底面２２ａ）および負極端子６０が交互に配置されるように一つずつ反転させて配置されており、隣接する円筒型電池１００間において一方の正極端子（円筒部２２の底面２２ａ）と他方の負極端子６０とが図示しない導電性接続具（例えばバスバー）によって電気的に接続される。このように各円筒型電池１００を、導電性接続具を介して電気的に直列接続することにより、所望する電圧の組電池２００が構築される。
【００３０】
このように配列させた円筒型電池１００の周囲には、複数の円筒型電池１００をまとめて保持する保持部材５０が配備される。この実施形態では、保持部材５０は、円筒型電池１００の長手方向の両端に配置された一対の保持板５２ａ、５２ｂと、当該一対の保持板５２ａ、５２ｂを架橋するようにこれら保持板５２ａ、５２ｂに取り付けられた架橋部材５４とから構成されている。
【００３１】
図４は円筒型電池１００の保持部材５０への組み付け構造を示す要部断面図である。なお図４では一部の部材（バスバーなど）を省略して示してある。一対の保持板５２ａ、５２ｂは、複数の保持部、ここでは挿入孔５６ａ、５６ｂを有している。挿入孔５６ａ、５２ｂには円筒型電池１００の先端部分が配置（挿入）され、その状態で保持（固定）される。この実施形態では、一方の保持板５２ａには挿入孔５６ａが形成され、他方の保持板５２ｂには挿入孔５６ｂが形成されている。また、挿入孔５６ａおよび挿入孔５６ｂのうちの何れか一方には、電池ケース２０の外面３６に形成された螺旋状凸部（ここではネジ山）３８に螺合する螺旋状の溝部５８が形成されている。この実施形態では、螺旋状の溝部５８は、保持板５２ａ側の挿入孔５６ａに形成された雌ネジ構造を有している。
【００３２】
円筒型電池１００を保持部材５０に組み付ける際には、まず、円筒型電池１００の一端（図では負極端子６０側の先端）を保持板５２ａの挿入孔５６ａに回転させながら挿入する。円筒型電池１００を回転させながら挿入することにより、螺旋状凸部（雄ネジ）３８と螺旋状溝部（雌ネジ）５８とが螺合して締め付けられる。かかる締結力によって円筒型電池１００を保持板５２ａにしっかりと固定することができる。
【００３３】
次いで、電池ケース２０（屈曲部３０）を長手方向に伸縮させることによって各円筒型電池１００の寸法調整を行い、各円筒型電池１００の長手方向の寸法（長さ寸法）を揃える。そして、各円筒型電池１００の他端（図では正極端子側の先端）を保持板５２ｂの挿入孔５６ｂに挿入することによって、各円筒型電池１００と保持板５２ａ、５２ｂとを一体にする。このようにして円筒型電池１００を保持部材５０に組み付けることができる。
【００３４】
本実施形態に係る組電池２００の構成によれば、屈曲部３０を適当に伸縮させることによって円筒型電池１００の長さ寸法のバラツキ（典型的には電池ケース２０を製造する際の成形バラツキ）を是正（吸収）した上で保持部材５０に組み付けているので、各円筒型電池１００の長さ寸法を揃えた状態で配列することができ、各電池の寸法バラツキに起因する不具合（例えば電池と保持部材との間に隙間が生じて電池をしっかりと固定できない等）を解消することができる。したがって、振動や衝撃などに対して安定な組電池を構築することができる。また、螺旋状凸部３８と螺旋状溝部５８との螺合によって円筒型電池１００を保持部材５０にしっかりと固定することができる。加えて、円筒型電池１００を挿入孔５６ａに回転させながら挿入するだけでよく、円筒型電池１００を保持部材５０に容易に固定することができ、組み付け性が向上する。さらに、別途固定部材を介在させる必要がないため、部品点数および電池コストを低減することができる。
【００３５】
以上、本発明を好適な実施形態により説明してきたが、こうした記述は限定事項ではなく、勿論、種々の改変が可能である。
【００３６】
例えば、上述した実施形態に係る円筒型電池１００では、円筒部２２の略全体に屈曲部３０を形成した例を示したが、これに限らず、円筒部２２の一部に屈曲部３０を形成してもよい。その一例を図５に示す。図５では、円筒部２２は、屈曲部３０と、該屈曲部３０からストレートに延びた非屈曲部２９とから構成されている。非屈曲部２９の内面には平坦部２９ａが形成され、対向面２７の一部を構成している。平坦部２９ａは凹凸のないフラットな曲面（即ち円筒部の内周面である曲面）であり、ケース内に収容された電極体側面７２に接触し得る位置に配置されている。この実施形態では、平坦部２９ａは、屈曲部３０の最内周に位置する部位３０ａよりも少しだけ径方向内側に配置され、これによって屈曲部３０と電極体側面７２とが直接接触しないように構成されている。かかる構成によれば、屈曲部３０と電極体側面７２との干渉を回避することができる。
【００３７】
また、上述の実施形態では屈曲部３０の形成とともに螺旋状凹部２８が形成されているがこの形態に限られず、外面側がフラットな形状の円筒部２２の内面側に螺旋状凹部２８を形成してもよい。
【００３８】
以下、本実施形態で使用され得る円筒型電池１００及び組電池２００を構成する各材料などについて詳述する。本実施形態に係る組電池２００は、円筒型電池を単電池とし、そのような単電池を複数配列して成る組電池であればよく、円筒型電池の種類は特に制限されない。円筒型電池は上述したリチウムイオン電池に限られず、ニッケル水素電池等が本発明の実施に好適な円筒型電池の構成として挙げられる。
【００３９】
また、上述したように円筒型電池１００は正極および負極を備える電極体７０と、該電極体７０および電解質を収容する電池ケース２０とを備える。電池ケース２０内に収容される捲回電極体７０の構成について詳述する。本実施形態に係る捲回電極体は、通常のリチウムイオン電池の捲回電極体と同様、シート状正極（以下「正極シート」という。）とシート状負極（以下「負極シート」という。）を計２枚のシート状セパレータ（以下「セパレータシート」という。）と共に積層し、さらに当該正極シートと負極シートとをややずらしつつ捲回した捲回電極体７０である。
【００４０】
かかる捲回電極体７０の捲回方向に対する横方向において、上記のとおりにややずらしつつ捲回された結果として、正極シートおよび負極シートの端の一部がそれぞれ捲回コア部分（即ち正極シートの正極活物質層形成部分と負極シートの負極活物質層形成部分とセパレータシートとが密に捲回された部分）から外方にはみ出ている。かかる正極側はみ出し部分（即ち正極活物質層の非形成部分）および負極側はみ出し部分（即ち負極活物質層の非形成部分）には、正極リード端子６６および負極リード端子６４がそれぞれ付設されており、それぞれ、上述の正極端子（円筒部２２の底面２２ａ）および負極端子６０と電気的に接続される。
【００４１】
なお、かかる捲回電極体を構成する材料および部材自体は、従来のリチウムイオン電池の電極体と同様でよく、特に制限はない。例えば、正極シートは長尺状の正極集電体の上にリチウムイオン電池用正極活物質層が付与されて形成され得る。正極集電体にはアルミニウム箔（本実施形態）その他の正極に適する金属箔が好適に使用される。正極活物質は従来からリチウムイオン電池に用いられる物質の一種または二種以上を特に限定することなく使用することができる。
【００４２】
一方、負極シートは長尺状の負極集電体の上にリチウムイオン電池用負極活物質層が付与されて形成され得る。負極集電体には銅箔（本実施形態）その他の負極に適する金属箔が好適に使用される。負極活物質は従来からリチウムイオン電池に用いられる物質の一種または二種以上を特に限定することなく使用することができる。
【００４３】
また、正負極シート間に使用される好適なセパレータシートとしては多孔質ポリオレフィン系樹脂で構成されたものが挙げられる。なお、電解質として固体電解質若しくはゲル状電解質を使用する場合には、セパレータが不要な場合（即ちこの場合には電解質自体がセパレータとして機能し得る。）があり得る。
【００４４】
続いて、電池ケース２０内に上記捲回電極体と共に収容される電解質の構成について説明する。電解質は、例えばＬｉＰＦ６等のリチウム塩である。適当量（例えば濃度１M）のＬｉＰＦ６等のリチウム塩をジエチルカーボネートとエチレンカーボネートとの混合溶媒（例えば質量比１：１）のような非水電解液に溶解して電解液として使用することができる。
【００４５】
捲回電極体７０を電池ケース２０の円筒部２２に収容した後、該円筒部２２の開口部に蓋体２４を取り付けて封口し、さらに上記電解液を注液口４０から注入して該注液口４０を封止することによって本実施形態の円筒型電池１００は構築される。そして、円筒型電池１００を所定の方向（本実施形態では並列）に配列し、当該円筒型電池１００を保持部材５０で固定することによって本実施形態の組電池２００は構築される。
【００４６】
本実施形態に係る組電池２００その他、本発明によって提供される円筒型電池を用いて構築される組電池は、特に自動車等の車両に搭載されるモーター（電動機）用電源として好適に使用し得る。従って、本発明では、図６に模式的に示すように、かかる組電池２００を電源として備える車両（典型的には自動車、特にハイブリッド自動車、電気自動車、燃料電池自動車のような電動機を備える自動車）１を提供することができる。
【図面の簡単な説明】
【００４７】
【図１】本実施形態に係る円筒型電池の外観を模式的に示す外観斜視図である。
【図２】本実施形態に係る円筒型電池の断面構成を模式的に示す断面図である。
【図３】本実施形態に係る組電池の外観を模式的に示す外観図である。
【図４】円筒型電池の保持部材への組み付け構造を示す要部断面図である。
【図５】本実施形態に係る円筒型電池の改変例を示す断面図である。
【図６】本実施形態の組電池を備えた車両（自動車）を模式的に示す側面図である。
【符号の説明】
【００４８】
１      車両（自動車）
１０    円筒型電池
２０    電池ケース
２２    円筒部
２２ａ  底面
２３    隙間
２４    蓋体
２５    間隙
２６    内面
２７    対向面
２８    螺旋状凹部
２９    非屈曲部
２９ａ  平坦部
３０    屈曲部
３６    外面
３８    螺旋状凸部
４０    注液口
４２    注液栓
４６    ガス放出機構（安全弁）
５０    保持部材
５２ａ、５２ｂ  保持板
５４    架橋部材
５６ａ、５６ｂ  挿入孔（保持部）
５８    螺旋状溝部
６０    負極端子
６２    ガスケット
６４    負極リード端子
６６    正極リード端子
７０    電極体
７２    電極体側面
７４    上端
７６    下端
１００  円筒型電池
２００  組電池  
【図１】
2009146692.tif 000003
【図２】
2009146692.tif 000004
【図３】
2009146692.tif 000005
【図４】
2009146692.tif 000006
【図５】
2009146692.tif 000007
【図６】
2009146692.tif 000008